(57)【要約】      （修正有）【課題】筐体の外部から電動ドライバを差し込んでローディングモーターのプーリーを回転し、筐体内のビデオテープをイジェクトでき、ローディングモーターの不具合時などに筐体を取り外すことなくビデオテープをイジェクトでき、作業の効率化を図れる。【解決手段】メカ部分が筐体１内に内蔵されており、ローディングモーター２のプーリー３にプラスドライバのネジ穴４が形成され、筐体１におけるプーリー３のネジ穴４と対応する部分に透明窓が設けられ、この透明窓にプーリー３のネジ穴４に電動ドライバ６の先端を差し込むための穴部７が穿設されていて、ローディングモーター２の不具合時に透明窓から内部を覗きながら透明窓の穴部７に電動ドライバ６を差込み、この電動ドライバ６の先端をプーリー３のネジ穴４に挿入し、電動ドライバ６を回動させることにより、プーリー３を回転させて筐体１内のビデオテープ８をイジェクトするようにした。【選択図】  図１
2007220250.tif 000002
【特許請求の範囲】
【請求項１】
ローディングモーターの不具合時に、このローディングモーターのプーリーを回転させることにより、ビデオテープをイジェクトするようにしたＶＣＲデッキにおいて、メカ部分が筐体内に内蔵されており、前記プーリーにプラスドライバのネジ穴が形成され、前記筐体における前記プーリーのネジ穴と対応する部分に透明窓が設けられ、この透明窓に前記プーリーのネジ穴に電動ドライバの先端を差し込むための穴部が穿設されていて、前記ローディングモーターの不具合時に前記透明窓から内部を覗きながら前記透明窓の穴部に電動ドライバを差込み、この電動ドライバの先端を前記プーリーのネジ穴に挿入し、前記電動ドライバを回動させることにより、前記プーリーを回転させて前記筐体内のビデオテープをイジェクトするようにしたことを特徴とするＶＣＲデッキ。
【請求項２】
ローディングモーターの不具合時に、このローディングモーターのプーリーを回転させることにより、ビデオテープをイジェクトするようにしたＶＣＲデッキにおいて、メカ部分が筐体内に内蔵されており、前記プーリーにプラスドライバのネジ穴が形成され、前記筐体における前記プーリーのネジ穴と対応する部分に電動ドライバを差し込むための穴部が穿設されていて、前記ローディングモーターの不具合時に前記筐体の穴部に電動ドライバを差し込み、この電動ドライバの先端を前記プーリーのネジ穴に挿入し、前記電動ドライバを回動させることにより、前記プーリーを回転させて前記筐体内のビデオテープをイジェクトするようにしたことを特徴とするＶＣＲデッキ。
【発明の詳細な説明】
【技術分野】
【０００１】
本発明は、ローディングモーターの不具合時に、このローディングモーターのプーリーを回転させることにより、ビデオテープをイジェクトするようにしたＶＣＲデッキに関するものである。
【背景技術】
【０００２】
第１の従来技術を図３、図４、図５に示す。この従来の回転磁気ヘッドは、図３、図４、図５に示すように、固定ドラム１０９と、固定ドラム１０９に回転自在に支持されるとともに、磁気ヘッド１０１が固定された少なくとも１つのヘッドベース１０２がねじ部材１０４により着脱可能に取付けられた回転ドラム１０３と、円板状に形成され、固定ドラム１０９側に取付けられたステーター１１３ｂと、回転ドラム１０３側に取付けられたローター１１３ａとからなり、このステーター１１３ｂとローター１１３ａとが所定の空隙を有して同心かつ面対向状に配置され、それぞれの対向面にコイル１１３ｇを敷設して、固定ドラム１０９側と回転ドラム１０３側の磁気ヘッド１０１との間の信号の伝達を行う回転トランス１１３とを有する回転磁気ヘッド装置において、回転ドラム１０９はその回転軸方向の一端軸と直交する第１の取付面と、この第１の取付面に対して、その外径側に位置し、回転軸方向に所定量だけ離間して平行に形成される第２の取付面とを有し、ねじ部材１０４の軸方向が第２の取付面に対して略直交しており、第２の取付面にねじ部材１０４がねじ込まれることにより、ヘッドベース１０２が第２の取付面に取付けられ、ローター１１３ａは、第１の取付面に回転ドラム１０３と同心状に取付けられるとともに、このとき径方向においてその最外径部がねじ部材１０４の少なくともその一部よりも外径側に位置してなり、ねじ部材１０４の軸方向の全長は、ローター１１３ａから第２の取付面までの距離よりも小とされてなる。（例えば、特許文献１参照）。
【０００３】
ところが、これにおいては、ねじ部材１０４を筐体の外部から回転させるものではなかった。また、ローディングモーターのプーリーにプラスドライバのネジ穴を設けたものではない。
【０００４】
第２の従来技術を図６、図７に示す。この従来の回転磁気ヘッドドラム装置は、図６、図７に示すように、下ドラムに植立された固定軸２０１に固着されたフランジ部材２０２と、固定軸上方より圧入されるボス部材２１０との間に弾性部材２０９を介してステータ基板２０８が挟み込まれた回転磁気ヘッドドラム装置である。そして、組み立て時には、下ドラムに植立された固定軸２０１に固着されたフランジ部材２０２と、固定軸上方より圧入されボス部材２１０の間に、弾性部材２０９を介してステータ基板２０８を挟み込み、ボス部材２１０で押圧固定することにより、ステータ基板２０８を取り付ける。            
【０００５】
（例えば、特許文献２参照）。
【０００６】
ところが、これにおいては、ボス部材２１０を筐体の外部から取り出すものではなかった。また、ローディングモーターのプーリーにプラスドライバのネジ穴を設けたものではない。
【特許文献１】特開平９−５４９２１号公報
【特許文献２】特開平８−３２９４３６号公報
【発明の開示】
【発明が解決しようとする課題】
【０００７】
本発明は、筐体の外部から電動ドライバを差し込んでローディングモーターのプーリーを回転し、筐体内のビデオテープをイジェクトすることができる。従って、ローディングモーターの不具合時などに筐体を取り外すことなく、ビデオテープをイジェクトすることができ、作業の効率化を図ることができるＶＣＲデッキを提供することを目的としている。
【課題を解決するための手段】
【０００８】
本発明は、上記課題を解決するために提案されたものであって、請求項１に記載の発明は、ローディングモーターの不具合時に、このローディングモーターのプーリーを回転させることにより、ビデオテープをイジェクトするようにしたＶＣＲデッキにおいて、メカ部分が筐体内に内蔵されており、前記プーリーにプラスドライバのネジ穴が形成され、前記筐体における前記プーリーのネジ穴と対応する部分に透明窓が設けられ、この透明窓に前記プーリーのネジ穴に電動ドライバの先端を差し込むための穴部が穿設されていて、前記ローディングモーターの不具合時に前記透明窓から内部を覗きながら前記透明窓の穴部に電動ドライバを差込み、この電動ドライバの先端を前記プーリーのネジ穴に挿入し、前記電動ドライバを回動させることにより、前記プーリーを回転させて前記筐体内のビデオテープをイジェクトするようにしたことを特徴としている。
【０００９】
請求項２に記載の発明は、ローディングモーターの不具合時に、このローディングモーターのプーリーを回転させることにより、ビデオテープをイジェクトするようにしたＶＣＲデッキにおいて、メカ部分が筐体内に内蔵されており、前記プーリーにプラスドライバのネジ穴が形成され、前記筐体における前記プーリーのネジ穴と対応する部分に電動ドライバを差し込むための穴部が穿設されていて、前記ローディングモーターの不具合時に前記筐体の穴部に電動ドライバを差し込み、この電動ドライバの先端を前記プーリーのネジ穴に挿入し、前記電動ドライバを回動させることにより、前記プーリーを回転させて前記筐体内のビデオテープをイジェクトするようにしたことを特徴としている。
【発明の効果】
【００１０】
請求項１に記載の発明によれば、ローディングモーターの不具合時に、筐体の透明窓の穴部から電動ドライバを差し込んでローディングモーターのプーリーのネジ穴に電動ドライバの先端を差し込んでプーリーを回転させることにより、筐体内部のビデオテープを簡単にイジェクトすることができる。また、透明窓を設けたことにより、筐体内部を外部から覗くことができ、ローディングモーターのプーリーのネジ穴に電動ドライバの先端を正確に挿入することができる。従って、ローディングモーターの不具合時などに筐体を取り外すことなく、ビデオテープを容易にイジェクトすることができる。
【００１１】
請求項２に記載の発明によれば、ローディングモーターの不具合時に、筐体の穴部から電動ドライバを差し込んでローディングモーターのプーリーのネジ穴に電動ドライバの先端を差し込んでプーリーを回転させることにより、筐体内部のビデオテープを簡単にイジェクトすることができる。従って、ローディングモーターの不具合時などに筐体を取り外すことなく、ビデオテープを容易にイジェクトすることができる。
【発明を実施するための最良の形態】
【００１２】
以下、本発明に係るＶＣＲデッキの実施の形態について、図を参照しつつ説明する。
【００１３】
図１は本発明の第１実施形態のＶＣＲデッキを示し、（ａ）はその側面図、（ｂ）はそのローディングモーターのプーリーを筐体の外部から電動ドライバで回転させる途中の状態を示す概略斜視図である。
【００１４】
この第１実施形態のＶＣＲデッキは、図１（ａ）（ｂ）に示すように、筐体１の内部にメカ部分が内蔵されており、ローディングモーター２のプーリー３にプラスドライバのネジ穴４が形成されている。筐体１の側面におけるプーリー３のネジ穴４と対応する部分に透明の合成樹脂からなる透明窓５が設けられ、この透明窓５に前記プーリー３のネジ穴４に電動ドライバ６の先端を差し込むための穴部７が穿設されている。また、筐体１の正面にはビデオテープ８を出し入れするための開口部９が形成されている。
【００１５】
上記構成により、ローディングモーター２の不具合時に、透明窓５から筐体１の内部を覗きながら、透明窓５の穴部７から電動ドライバ６を差し込み、この電動ドライバ６の先端をプーリー３のネジ穴４に挿入する。その後、電動ドライバ６を駆動して回動させ、プーリー３を回転させることにより、プーリー３を回転させて筐体１内のビデオテープ８をイジェクトする。
【００１６】
この第１実施形態によれば、ローディングモーター２の不具合時に、筐体１の透明窓５の穴部７から電動ドライバ６を差し込んでローディングモーター２のプーリー３のネジ穴４に電動ドライバ６の先端を差し込んでプーリー３を回転させることにより、筐体１の内部のビデオテープ８を簡単にイジェクトすることができる。また、透明窓５を設けたことにより、筐体１の内部を外部から覗くことができ、ローディングモーター２のプーリー３のネジ穴４に電動ドライバ６の先端を正確に挿入することができる。従って、ローディングモーター２の不具合時などに筐体１を取り外すことなく、ビデオテープ８を容易にイジェクトすることができる。
【００１７】
図２は第２実施形態のＶＣＲデッキを示し、（ａ）はその側面図、（ｂ）はそのローディングモーターのプーリーを筐体の外部から電動ドライバで回転させる途中の状態を示す概略斜視図である。
【００１８】
この第２実施形態のＶＣＲデッキは、図２（ａ）（ｂ）に示すように、筐体１の内部にメカ部分が内蔵されており、ローディングモーター２のプーリー３にプラスドライバのネジ穴４が形成されている。筐体１の側面におけるプーリー３のネジ穴４と対応する部分にプーリー３のネジ穴４に電動ドライバ６の先端を差し込むための穴部７が穿設されている。また、筐体１の正面にはビデオテープ８を出し入れするための開口部９が形成されている。
【００１９】
上記構成により、ローディングモーター２の不具合時に、穴部７から電動ドライバ６を差し込み、この電動ドライバ６の先端をプーリー３のネジ穴４に挿入する。その後、電動ドライバ６を駆動して回動させ、プーリー３を回転させることにより、プーリー３を回転させて筐体１内のビデオテープ８をイジェクトする。
【００２０】
この第１実施形態によれば、ローディングモーター２の不具合時に、筐体１の穴部７から電動ドライバ６を差し込んでローディングモーター２のプーリー３のネジ穴４に電動ドライバ６の先端を差し込んでプーリー３を回転させることにより、筐体１の内部のビデオテープ８を簡単にイジェクトすることができる。従って、ローディングモーター２の不具合時などに筐体１を取り外すことなく、ビデオテープ８を容易にイジェクトすることができる。
【図面の簡単な説明】
【００２１】
【図１】本発明の第１実施形態のＶＣＲデッキを示し、（ａ）はその側面図、（ｂ）はそのローディングモーターのプーリーを筐体の外部から電動ドライバで回転させる途中の状態を示す概略斜視図である。
【図２】第２実施形態のＶＣＲデッキを示し、（ａ）はその側面図、（ｂ）はそのローディングモーターのプーリーを筐体の外部から電動ドライバで回転させる途中の状態を示す概略斜視図である。
【図３】従来の回転磁気ヘッド装置の側断面図である。
【図４】同装置の回転ドラム部分の平面図である。
【図５】同装置の部分拡大側断面図である。
【図６】従来の回転磁気ヘッドドラム装置の概略図である。
【図７】同装置におけるボス抜き去り作業を示す概略図である。
【符号の説明】
【００２２】
１      筐体
２      ローディングモーター
３      プーリー
４      ネジ穴
５      透明窓
６      電動ドライバ
７      穴部
８      ビデオテープ
９      開口部
【図１】
2007220250.tif 000003
【図２】
2007220250.tif 000004
【図３】
2007220250.tif 000005
【図４】
2007220250.tif 000006
【図５】
2007220250.tif 000007
【図６】
2007220250.tif 000008
【図７】
2007220250.tif 000009